(57)【特許請求の範囲】
【請求項１】
プリンタ本体部と、
前記プリンタ本体部に開閉可能な状態で取り付けられた蓋部と、
前記蓋部または前記プリンタ本体部の一方に取り付けられたプラテンローラと、
前記蓋部または前記プリンタ本体部の他方に取り付けられた、記録ヘッドと、
前記プリンタ本体部に設けられる、前記記録ヘッドと前記プラテンローラとを離すためのロックレバーと、
前記蓋部にスライド可能に取り付けられ、スライドによって前記ロックレバーを動作させるオープンレバーと、を備え、
前記ロックレバーの動作により前記蓋部が開くものであって、
前記オープンレバーは、前記蓋部が閉じている状態において前記蓋部より取り外すことができることを特徴とするプリンタ装置。
【請求項２】
プリンタ本体部と、
前記プリンタ本体部に開閉可能な状態で取り付けられた蓋部と、
前記蓋部または前記プリンタ本体部の一方に取り付けられたプラテンローラと、
前記蓋部または前記プリンタ本体部の他方に取り付けられた、記録ヘッドと、
前記プリンタ本体部に設けられる、前記記録ヘッドと前記プラテンローラとを離すためのロックレバーと、
前記蓋部にスライド可能に取り付けられ、スライドによって前記ロックレバーを動作させるオープンレバーと、を備え、
前記ロックレバーの動作により前記蓋部が開くものであって、
前記オープンレバーは、前記蓋部より取り外すことができ、
前記蓋部には開口部が形成され、
前記オープンレバーは前記開口部に取り付けられ、
前記オープンレバーが取り外された前記開口部から前記ロックレバーが露出することを特徴とするプリンタ装置。
【請求項３】
前記オープンレバーは、前記開口部に設置するための２つの接続部と、各々の前記接続部の端部に設けられた接続突起部を有しており、
前記蓋部に前記オープンレバーが取り付けられている状態においては、
それぞれの接続突起部が、前記開口部の内側の縁に接することを特徴とする請求項２に記載のプリンタ装置。
【請求項４】
前記接続突起部には、前記開口部より離れるに伴い、前記接続突起部と前記蓋部の内側の面との間隔が広がる突起部傾斜面が形成されていることを特徴とする請求項３に記載のプリンタ装置。
【請求項５】
前記蓋部の内側の面において、前記接続突起部と対向する面には、前記開口部に近づくに伴い、前記接続突起部と前記蓋部の内側の面との間隔が広がる蓋部内側傾斜面が形成されていることを特徴とする請求項３または４に記載のプリンタ装置。
【請求項６】
前記オープンレバーの蓋部と接する側の面の端には、前記蓋部と前記オープンレバーとの間に隙間を形成する切り掛け部が設けられていることを特徴とする請求項１から５のいずれかに記載のプリンタ装置。
【請求項７】
取り外された前記オープンレバーを用いて、前記ロックレバーを操作することを特徴とする請求項１から６のいずれかに記載のプリンタ装置。
【請求項８】
プリンタ本体部と、
前記プリンタ本体部に開閉可能な状態で取り付けられた蓋部と、
前記蓋部または前記プリンタ本体部の一方に取り付けられたプラテンローラと、
前記蓋部または前記プリンタ本体部の他方に取り付けられた、記録ヘッドと、
前記プリンタ本体部に設けられる、前記記録ヘッドと前記プラテンローラとを離すためのロックレバーと、
前記蓋部にスライド可能に取り付けられ、スライドによって前記ロックレバーを動作させるオープンレバーと、を備え、
前記ロックレバーの動作により前記蓋部が開くものであって、
前記オープンレバーは、前記蓋部より取り外すことができ、
前記オープンレバーの蓋部と接する側の面の端には、前記蓋部と前記オープンレバーとの間に隙間を形成する切り掛け部が設けられていることを特徴とするプリンタ装置。
【請求項９】
プリンタ本体部と、
前記プリンタ本体部に開閉可能な状態で取り付けられた蓋部と、
前記蓋部または前記プリンタ本体部の一方に取り付けられたプラテンローラと、
前記蓋部または前記プリンタ本体部の他方に取り付けられた、記録ヘッドと、
前記プリンタ本体部に設けられる、前記記録ヘッドと前記プラテンローラとを離すためのロックレバーと、
前記蓋部にスライド可能に取り付けられ、スライドによって前記ロックレバーを動作させるオープンレバーと、を備え、
前記ロックレバーの動作により前記蓋部が開くものであって、
前記オープンレバーは、前記蓋部より取り外すことができ、
取り外された前記オープンレバーを用いて、前記ロックレバーを操作することを特徴とするプリンタ装置。
【請求項１０】
プリンタ本体部と、
前記プリンタ本体部に開閉可能な状態で取り付けられた蓋部と、
前記蓋部を前記プリンタ本体部に対してロックするロックレバーと、
前記蓋部にスライド可能に取り付けられ、前記ロックレバーを操作してロックを解除するオープンレバーと、
前記蓋部または前記プリンタ本体部の一方に取り付けられたプラテンローラと、を備え、
前記ロックレバーの動作により前記プラテンローラのロックが解除され、前記蓋部が開くものであって、
前記オープンレバーは、前記蓋部が閉じている状態において前記蓋部より取り外すことができることを特徴とするプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。カッターは、固定刃と可動刃により構成されており、可動刃が固定刃の側にスライドして動くことにより、可動刃と固定刃の間の記録紙を切断することができる。
【０００３】
また、このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。尚、蓋部には、蓋部を開閉するための開蓋レバーが設けられており、開蓋レバーを操作することにより、蓋部を開くことができる。
【先行技術文献】
【特許文献】
【０００４】
【特許文献１】特許第２５８５７６９号公報
【特許文献２】特開平７−６８８６６号公報
【特許文献３】特開２００３−２４６１０４号公報
【発明の概要】
【発明が解決しようとする課題】
【０００５】
ところで、上述したプリンタ装置において、記録紙をカッターにより切断する際には、可動刃が固定刃の側にスライドして移動することにより記録紙が切断されるが、固定刃の側にスライドしている可動刃と固定刃との間に記録紙が挟み込まれ、可動刃に設けられたバネの力では可動刃が元に戻らなくなってしまう場合がある。即ち、固定刃と可動刃との間に挟み込まれた記録紙により、可動刃が動くことができず、元の状態に戻ることができなくなってしまう場合がある。
【０００６】
このような状態においては、固定刃の側にスライドしている可動刃が邪魔をして、蓋部を開くことができない。
【０００７】
よって、固定刃の側にスライドしている可動刃と固定刃との間に記録紙が挟み込まれた状態においても蓋部を開くことのできるプリンタ装置が求められている。
【課題を解決するための手段】
【０００８】
本実施の形態の一観点によれば、プリンタ本体部と、前記プリンタ本体部に開閉可能な状態で取り付けられた蓋部と、前記蓋部または前記プリンタ本体部の一方に取り付けられたプラテンローラと、前記蓋部または前記プリンタ本体部の他方に取り付けられた、記録ヘッドと、前記プリンタ本体部に設けられる、前記記録ヘッドと前記プラテンローラとを離すためのロックレバーと、前記蓋部にスライド可能に取り付けられ、スライドによって前記ロックレバーを動作させるオープンレバーと、を備え、前記ロックレバーの動作により前記蓋部が開くものであって、前記オープンレバーは、前記蓋部が閉じている状態において前記蓋部より取り外すことができることを特徴とする。
【発明の効果】
【０００９】
本発明によれば、固定刃の側にスライドしている可動刃と固定刃との間に記録紙が挟み込まれた状態においても、容易に蓋部を開くことができる。
【図面の簡単な説明】
【００１０】
【図１】本実施の形態におけるプリンタ装置の蓋部が開いている状態の斜視図
【図２】本実施の形態におけるプリンタ装置の蓋部が閉じている状態の斜視図
【図３】本実施の形態におけるプリンタ装置の蓋部が閉じている状態の断面図
【図４】プリンタ装置の蓋部を開く操作方法を説明するための斜視図（１）
【図５】プリンタ装置の蓋部を開く操作方法を説明するための側面図（１）
【図６】プリンタ装置の蓋部を開く操作方法を説明するための断面図（１）
【図７】プリンタ装置の蓋部を開く操作方法を説明するための斜視図（２）
【図８】プリンタ装置の蓋部を開く操作方法を説明するための側面図（２）
【図９】プリンタ装置の蓋部を開く操作方法を説明するための断面図（２）
【図１０】プリンタ装置の蓋部を開く操作方法を説明するための斜視図（３）
【図１１】プリンタ装置の蓋部を開く操作方法を説明するための側面図（３）
【図１２】プリンタ装置の蓋部を開く操作方法を説明するための断面図（３）
【図１３】プリンタ装置の蓋部を開く操作方法を説明するための斜視図（４）
【図１４】プリンタ装置の蓋部を開く操作方法を説明するための側面図（４）
【図１５】プリンタ装置の蓋部を開く操作方法を説明するための断面図（４）
【図１６】固定刃と可動刃による記録紙の切断の説明図（１）
【図１７】固定刃と可動刃による記録紙の切断の説明図（２）
【図１８】オープンレバーが取り外され蓋部が閉じている状態のプリンタ装置の斜視図（１）
【図１９】オープンレバーが取り外され蓋部が閉じている状態のプリンタ装置の斜視図（２）
【図２０】オープンレバーが取り外された状態のプリンタ装置の開閉方法の説明図（１）
【図２１】オープンレバーが取り外された状態のプリンタ装置の開閉方法の説明図（２）
【図２２】オープンレバーが取り外された状態のプリンタ装置の開閉方法の説明図（３）
【図２３】オープンレバーが取り外された状態のプリンタ装置の開閉方法の説明図（４）
【図２４】オープンレバーが取り外された状態のプリンタ装置の開閉方法の説明図（５）
【図２５】オープンレバーが取り外された状態のプリンタ装置の開閉方法の説明図（６）
【図２６】オープンレバーが取り外され蓋部が開いている状態のプリンタ装置の斜視図（１）
【図２７】オープンレバーが取り外され蓋部が開いている状態のプリンタ装置の斜視図（２）
【図２８】オープンレバーの構造図
【図２９】オープンレバーの斜視図（１）
【図３０】オープンレバーの斜視図（２）
【図３１】オープンレバーの説明図（１）
【図３２】オープンレバーの説明図（２）
【図３３】オープンレバーの説明図（３）
【図３４】オープンレバーを用いたロックレバーの操作方法の説明図
【発明を実施するための形態】
【００１１】
本発明を実施するための形態について、以下に説明する。尚、同じ部材等については、同一の符号を付して説明を省略する。
【００１２】
（プリンタ装置）
本実施の形態におけるプリンタ装置について、図１から図３に基づき説明する。尚、図１は、本実施の形態におけるプリンタ装置において、蓋部が開いている状態の斜視図であり、図２は、本実施の形態におけるプリンタ装置において、蓋部が閉じている状態の斜視図であり、図３は、本実施の形態におけるプリンタ装置において、蓋部が閉じている状態の断面図である。
【００１３】
本実施の形態におけるプリンタ装置は、プリンタ本体部１０と、プリンタ本体部１０に取り付けられている蓋部２０とを有している。蓋部２０は、不図示の軸を中心に回転可能な状態でプリンタ本体部１０に取り付けられている。言い換えるならば、本実施の形態におけるプリンタ装置は、プリンタ本体部１０に開閉可能な状態で取り付けられている蓋部２０を有している。プリンタ本体部１０には、記録紙ホルダ１１が設けられており、記録紙ホルダ１１の内部に、ロール状に巻かれた記録紙１００を設置することができるように形成されている。尚、本実施の形態におけるプリンタ装置に用いられるロール状に巻かれた記録紙１００は感熱紙である。
【００１４】
プリンタ本体部１０には、制御回路基板１２、モータ１３、１４、記録紙１００に印字を行なうための記録ヘッドであるサーマルヘッド３０、固定刃４１が設けられている。制御回路基板１２は、本実施の形態におけるプリンタ装置の制御を行なうためのものであり、モータ１３、１４は、記録紙１００を搬送するため、また、カッター部を駆動するためのものである。
【００１５】
蓋部２０には、蓋部２０を開くためのオープンレバー２１、可動刃４２、プラテンローラ５０が設けられている。オープンレバー２１は、蓋部２０の表面、即ち、外側の面に設けられた溝部２２を上下方向に移動するように設置されている。
【００１６】
本実施の形態においては、プリンタ本体部１０に設けられた固定刃４１と蓋部２０に設けられた可動刃４２とにより、記録紙を切断するためのカッター部が形成されている。可動刃４２が固定刃４１の設けられている側にスライドして移動することにより、固定刃４１と可動刃４２との間に存在している記録紙１００を切断することができる。
【００１７】
また、プリンタ本体部１０には、サーマルヘッド３０に押し付けられているプラテンローラ５０を取り外すためのロックレバー１５が設けられている。ロックレバー１５を下方向に押すことにより、サーマルヘッド３０からプラテンローラ５０が離れ、プラテンローラ５０をプリンタ本体部１０から取り外すことができる。
【００１８】
即ち、本実施の形態におけるプリンタ装置は、蓋部２０に設けられたオープンレバー２１を下方向にスライドさせることにより、ロックレバー１５を下方向に押して、プラテンローラ５０を取り外すとともに、蓋部２０を開くことができる。
【００１９】
ロックレバー１５を操作してプラテンローラ５０を取り外す際には、サーマルヘッド３０及びプラテンローラ５０を含むプリンタメカ部に設けられた不図示のバネにより、プラテンローラ５０が飛び出すように形成されている。よって、本実施の形態においては、このバネによる力、即ち、バネによりプラテンローラ５０が飛び出す方向に働く力が、蓋部２０を開く際の力の一部として加わっている。
【００２０】
本実施の形態におけるプリンタ装置に記録紙１００を設置する場合には、プリンタ本体部１０の記録紙ホルダ１１の内部にロール状に巻かれた記録紙１００を設置し、蓋部２０を閉じることにより、プリンタ装置にロール状に巻かれた記録紙１００がセットされる。また、本実施の形態におけるプリンタ装置は、プリンタ本体部１０に、プラテンローラ５０が設けられており、蓋部２０に、サーマルヘッド３０が設けられている構造のものであってもよい。
【００２１】
（プリンタ装置における蓋部２０を開く方法）
次に、本実施の形態におけるプリンタ装置において、蓋部２０を開く方法について説明する。蓋部２０は、プリンタ本体部１０に設置されている記録紙１００がなくなった場合や、記録紙１００を交換する場合に開かれる。
【００２２】
最初に、図４から図６に基づき、本実施の形態におけるプリンタ装置において、蓋部２０が閉じている場合について説明する。尚、図４は、本実施の形態におけるプリンタ装置において、この状態における斜視図であり、図５は、側面図であり、図６は、断面図である。
【００２３】
蓋部２０に取り付けられているオープンレバー２１は、蓋部２０の表面、即ち、外側の面に形成された溝部２２に沿ってスライド移動するスライド部２１ａと、スライド部２１ａより外側に突起しており人の指等により操作される操作部２１ｂとを有している。また、図６に示されるように、オープンレバー２１は、蓋部２０の内側に突起している突起部２１ｃを有しており、突起部２１ｃには、ロックレバー１５と接触する先端部２１ｄが形成されている。また、オープンレバー２１は、バネ２３が接続されており、人の指等により下に押し下げられたオープンレバー２１を上方向に戻す方向に復元力が働くように設置されている。また、プリンタ本体部１０に設けられたロックレバー１５には、オープンレバー２１の突起部２１ｃの先端部２１ｄと接する部分が傾斜面１５ａとなるように形成されている。
【００２４】
次に、図７から図９に示すように、オープンレバー２１の操作部２１ｂに人の指等により下方向に力を加え、溝部２２においてスライド部２１ａを下方向に移動させる。尚、図７は、本実施の形態におけるプリンタ装置において、この状態における斜視図であり、図８は、側面図であり、図９は、断面図である。
【００２５】
このように、オープンレバー２１のスライド部２１ａが溝部２２を下方向に移動することにより、オープンレバー２１全体が下方向に移動し、突起部２１ｃも下方向に動く。そのため、オープンレバー２１の突起部２１ｃの先端部２１ｄは、ロックレバー１５の傾斜面１５ａに沿って移動しながら、ロックレバー１５を押し下げる。
【００２６】
次に、図１０から図１２に示すように、図７から図９の状態から更に、オープンレバー２１の操作部２１ｂを人の指等により下方向に力を加え、溝部２２においてスライド部２１ａを下方向に移動させる。尚、図１０は、本実施の形態におけるプリンタ装置において、この状態における斜視図であり、図１１は、側面図であり、図１２は、断面図である。
【００２７】
図７の状態から更に、オープンレバー２１のスライド部２１ａが溝部２２を下方向に移動し、突起部２１ｃが下方向に動くことにより、図１２に示されるように、オープンレバー２１の突起部２１ｃの先端部２１ｄは、ロックレバー１５を押す。ロックレバー１５は、所定の位置まで押し下げられるとそれ以上動くことはなく、動きが停止して、その状態が保たれる。オープンレバー２１の突起部２１ｃの先端部２１ｄは、このように動きが停止している状態のロックレバー１５の傾斜面１５ａを外側方向に移動する。このように、オープンレバー２１の突起部２１ｃの先端部２１ｄが、動きが停止している状態のロックレバー１５の傾斜面１５ａを外側方向に移動することにより、オープンレバー２１には、蓋部２０が開く方向に力が加わり、蓋部２０がプリンタ本体部１０との接続部分における不図示の軸部を中心に回転し、蓋部２０が開く。
【００２８】
尚、本実施の形態においては、ロックレバー１５が所定の位置まで押し下げられている状態では、プラテンローラ５０にはサーマルヘッド３０から離れる方向に力が加わるため、この力が蓋部２０を開く際の力の一部となる。
【００２９】
この後、図１３から図１５に示すように、蓋部２０が開く。尚、図１３は、本実施の形態におけるプリンタ装置において、この状態における斜視図であり、図１４は、側面図であり、図１５は、断面図である。
【００３０】
蓋部２０が開くことにより、オープンレバー２１の突起部２１ｃの先端部２１ｄとロックレバー１５とが離れ、蓋部２０が完全に開かれる。この後、オープンレバー２１の操作部２１ｂより人の指等が離れると、オープンレバー２１は、バネ２３の復元力により上方向に力が働き動くため、元の状態に戻る。
【００３１】
本実施の形態におけるプリンタ装置においては、プリンタ本体部１０と蓋部２０との接続部分に蓋部２０を開くための付勢力を有するバネを設けることなく、オープンレバー２１を操作することにより、蓋部２０を開くことができる。よって、プリンタ本体部１０と蓋部２０との接続部分に蓋部２０を開くための付勢力を有するバネが不要となるため、プリンタ装置を低コストにすることができる。
【００３２】
（固定刃４１と可動刃４２による記録紙の切断）
前述したように、記録紙１００を切断する際には、可動刃４２が固定刃４１の設けられている側にスライドして移動することにより記録紙１００を切断することができる。図１６（ａ）に示される状態から、モータ１４を回転させることにより、ギア４４、４５を介し、可動刃４２をスライドして動かす。このように、図１６（ｂ）に示されるように、可動刃４２を固定刃４１が設けられている側にスライドして移動させることにより、固定刃４１と可動刃４２により記録紙１００が切断される。記録紙１００を切断した後は、可動刃４２に接続されている可動刃バネ４３の復元力により可動刃４２が移動し、図１６（ａ）に示されるような元の状態に戻る。
【００３３】
しかしながら、記録紙１００を切断する際に、図１７（ａ）に示されるように、可動刃４２と固定刃４１との間に記録紙１００が挟み込まれ、可動刃４２に設けられた可動刃バネ４３の力では可動刃４２が元に戻らなくなってしまう場合がある。このような状態においては、蓋部２０に設けられたオープンレバー２１を操作しても蓋部２０を開くことはできない。このように固定刃４１と可動刃４２との間に記録紙１００が詰まった状態となる。
【００３４】
このような状態においては、ロックレバー１５を直接操作することによりプリンタ本体部１０からプラテンローラ５０を離し、これにより、固定刃４１と可動刃４２とを離すとともに、ギア４４とギア４５とを離すことにより、可動刃バネ４３の復元力により可動刃４２を元の状態に戻すことができる。しかしながら、蓋部２０が閉じているため、蓋部２０よりも内側にあるロックレバー１５を操作することができない。
【００３５】
（ロックレバー１５により蓋部２０を開く方法）
本実施の形態におけるプリンタ装置は、蓋部２０が閉じている状態においても、ロックレバー１５を操作することが可能である。オープンレバー２１は、樹脂材料等の変形可能な材料により形成されており、蓋部２０から取り外すことが可能である。図１８、図１９は、蓋部２０が閉じている状態においてオープンレバー２１が取り外されている状態の斜視図である。図１８は、記録紙ホルダ１１内に記録紙１００が設置されている場合の斜視図であり、図１９は、記録紙ホルダ１１内に記録紙１００が設置されていない場合の斜視図である。
【００３６】
オープンレバー２１が取り外された蓋部２０の部分は開口部２０ａとなっており、開口部２０ａが形成される位置には、ロックレバー１５が位置している。よって、蓋部２０が閉じられている状態においても、蓋部２０の開口部２０ａよりドライバ等を入れて、プラテンオープンレバーであるロックレバー１５を操作することにより、プラテンローラ５０をプリンタ本体部１０から外すことができる。これにより、蓋部２０が開き、固定刃４１と可動刃４２との間が離れ、可動刃バネ４３の復元力により可動刃４２を元の位置に戻すことができる。
【００３７】
以上の工程を図２０〜図２５に基づきより詳細に説明する。尚、図２１以降の図においては、便宜上、細部において図１〜図１５、図２０等と一部相違している部分があるが、本発明の構成等に影響を与えるものではない。
【００３８】
最初に、図２０に示す蓋部２０にオープンレバー２１が取り付けられている状態から、図２１に示すように、オープンレバー２１を蓋部２０から取り外す。これにより、オープンレバー２１が設置されていた蓋部２０の部分が開口部２０ａとなり、開口部２０ａからロックレバー１５が露出する。尚、取り外されるオープンレバー２１については、後に詳細に説明する。
【００３９】
次に、不図示のドライバ等の工具を開口部２０ａに入れることにより図２２に示すようにロックレバー１５を押し下げる。これにより、プラテンローラ５０が外れ、図２３に示すように、蓋部２０が開く。このように蓋部２０が僅かに開くことにより、固定刃４１と可動刃４２との間に挟まっていた記録紙１００が外れ、可動刃４２が可動刃バネの復元力により動き元の状態に戻る。
【００４０】
この後、プラテンローラ５０が外れることにより、図２４に示されるように、蓋部２０は更に開き、図２５に示されるように、蓋部２０が完全に開いた状態となる。
【００４１】
図２６、図２７は、オープンレバー２１が取り外されており、蓋部２０が完全に開いている状態の斜視図である。図２６は、記録紙ホルダ１１内に記録紙１００が設置されている場合の斜視図であり、図２７は、記録紙ホルダ１１内に記録紙１００が設置されていない場合の斜視図である。
【００４２】
（オープンレバー２１）
次に、図２８から図３０に基づき、オープンレバー２１について説明する。図２８（ａ）はオープンレバー２１の正面図であり、図２８（ｂ）は背面図であり、図２８（ｃ）は上面図であり、図２８（ｄ）は底面図であり、図２８（ｅ）は左側面図であり、図２８（ｆ）は右側面図である。図２９（ａ）はオープンレバー２１の正面側を左上方から見た斜視図であり、図２９（ｂ）は左下方から見た斜視図であり、図２９（ｃ）は右上方から見た斜視図であり、図２９（ｄ）は右下方から見た斜視図である。図３０（ａ）はオープンレバー２１の背面側を左上方から見た斜視図であり、図３０（ｂ）は左下方から見た斜視図であり、図３０（ｃ）は右上方から見た斜視図であり、図３０（ｄ）は右下方から見た斜視図である。
【００４３】
オープンレバー２１は、正面側にスライド部２１ａと操作部２１ｂが設けられており、背面側に突起部２１ｃと突起部２１ｃの端に先端部２１ｄが設けられている。また、オープンレバー２１の背面側には、蓋部２０にオープンレバー２１を設置するために背面に対し略垂直方向に延びる薄い板状の２つの接続部２１ｅ、２１ｆが設けられている。オープンレバー２１は蓋部２０の開口部２０ａに２つの接続部２１ｅ、２１ｆを入れることにより蓋部２０に設置されるが、オープンレバー２１を操作した際に容易にオープンレバー２１が蓋部２０から外れないように、接続部２１ｅの端部には接続突起部２１ｇが設けられており、接続部２１ｆの端部には接続突起部２１ｈが設けられている。図３１に示されるように、接続突起部２１ｇと接続突起部２１ｈとは相互に外向きに出っ張った形状で形成されており、蓋部２０の開口部２０ａに接続部２１ｅ、２１ｆを入れた際、蓋部２０の内側に接続突起部２１ｇと接続突起部２１ｈが入り込む。これにより、接続突起部２１ｇと接続突起部２１ｈが、蓋部２０の開口部２０ａの一方の縁と一方の縁に対向する他方の縁の蓋部２０の内側の面２０ｂに各々引っかかることにより、蓋部２０にオープンレバー２１が設置される。このように蓋部２０に設置されたオープンレバー２１は、オープンレバー２１を通常に操作することによっては、蓋部２０から外れることはない。
【００４４】
オープンレバー２１は、比較的柔らかい樹脂材料等により形成されており、２つの板状に延びる接続部２１ｅ、２１ｆの部分は、薄い板状に形成されているため、撓みやすく、容易に曲げることができる。このため、オープンレバー２１を操作することではオープンレバー２１は蓋部２０から外れることはないが、オープンレバー２１に強い力を加えた場合には、蓋部２０から外すことができるようにオープンレバー２１が形成されている。
【００４５】
また、蓋部２０よりオープンレバー２１を取り外しやすくするため、図３２に示すように、蓋部２０の内側の面２０ｂと対向する接続突起部２１ｇに突起部傾斜面２１ｍを、接続突起部２１ｈには突起部傾斜面２１ｎを形成してもよい。突起部傾斜面２１ｍは、開口部２０ａより離れるに伴い、蓋部２０の内側の面２０ｂと接続突起部２１ｇとの間隔が徐々に広がるように形成されている。同様に、突起部傾斜面２１ｎは、開口部２０ａから離れるに伴い、蓋部２０の内側の面２０ｂと接続突起部２１ｈとの間隔が徐々に広がるように形成されている。従って、蓋部２０よりオープンレバー２１を取り外す際には、接続突起部２１ｇの突起部傾斜面２１ｍが蓋部２０の開口部２０ａの縁と接触しながら外れ、接続突起部２１ｈの突起部傾斜面２１ｎが開口部２０ａの縁と接触しながら外れる。この際、接続部２１ｅと接続部２１ｆとはその間隔が徐々に狭くなるように撓むため、容易に蓋部２０よりオープンレバー２１を取り外すことができる。
【００４６】
また、図３３に示すように、蓋部２０よりオープンレバー２１を取り外しやすくするため、蓋部２０の内側の面２０ｂの、オープンレバー２１の接続突起部２１ｇと対向する面には蓋部内側傾斜面２０ｃが、オープンレバー２１の接続突起部２１ｈと対向する面には蓋部内側傾斜面２０ｄが形成されていてもよい。蓋部内側傾斜面２０ｃは、開口部２０ａの縁に近づくに伴い、蓋部２０の内側の面２０ｂと接続突起部２１ｇとの間隔が徐々に広がるように形成されている。同様に、蓋部内側傾斜面２０ｄは、開口部２０ａの縁に近づくに伴い、蓋部２０の内側の面２０ｂと接続突起部２１ｈとの間隔が徐々に広がるように形成されていている。従って、蓋部２０よりオープンレバー２１を取り外す際には、オープンレバー２１の接続突起部２１ｇが蓋部２０の内側の蓋部内側傾斜面２０ｃと接触しながら外れ、接続突起部２１ｈが蓋部２０の内側の蓋部内側傾斜面２０ｄと接触しながら外れる。この際、接続部２１ｅと接続部２１ｆとは互いの間隔が徐々に狭くなるように撓むため、容易に蓋部２０よりオープンレバー２１を取り外すことができる。
【００４７】
また、本実施の形態においては、蓋部２０よりオープンレバー２１を外しやすくするため、図２８（ｂ）、図２９（ｂ）、（ｄ）、図３０に示されるように、オープンレバー２１の裏面、即ち、蓋部２０に取り付けられる面には切り掛け部２１ｋが形成されている。オープンレバー２１を蓋部２０に設置した際、オープンレバー２１の裏面に形成された切り掛け部２１ｋにより、蓋部２０とオープンレバー２１との間に隙間が形成され、この隙間に先端の尖った工具を差し込むことにより、蓋部２０よりオープンレバー２１を容易に取り外すことができる。
【００４８】
このように取り外されたオープンレバー２１は、オープンレバー２１の裏面に形成された接続部２１ｅの接続突起部２１ｇと、接続部２１ｆの接続突起部２１ｈとを再び蓋部２０の開口部２０ａに入れることにより、蓋部２０に取り付けることができる。
【００４９】
また、オープンレバー２１のスライド部２１ａの短手方向における幅が蓋部２０の開口部２０ａの幅よりも狭く形成されている場合には、オープンレバー２１を開口部２０ａに入れて、ロックレバー１５を操作することができる。具体的には、図３４に示されるように、オープンレバー２１が取り外されている蓋部２０の開口部２０ａに、オープンレバー２１を工具の代わりに入れて、オープンレバー２１により開口部２０ａにおいて露出しているロックレバー１５を操作してもよい。
【００５０】
以上、本発明の実施に係る形態について説明したが、上記内容は、発明の内容を限定するものではない。
【符号の説明】
【００５１】
１０        プリンタ本体部
１１        記録紙ホルダ
１２        制御回路基板
１３        モータ
１４        モータ
１５        ロックレバー
１５ａ      傾斜面
２０        蓋部
２０ａ      開口部
２０ｂ      蓋部の内側の面
２０ｃ      蓋部内側傾斜面
２０ｄ      蓋部内側傾斜面
２１        オープンレバー
２１ａ      スライド部
２１ｂ      操作部
２１ｃ      突起部
２１ｄ      先端部
２１ｅ      接続部
２１ｆ      接続部
２１ｇ      接続突起部
２１ｈ      接続突起部
２１ｋ      切り掛け部
２１ｍ      突起部傾斜面
２１ｎ      突起部傾斜面
３０        サーマルヘッド
４１        固定刃
４２        可動刃
５０        プラテンローラ
【図１】
0006461508.tif 000002
【図２】
0006461508.tif 000003
【図３】
0006461508.tif 000004
【図４】
0006461508.tif 000005
【図５】
0006461508.tif 000006
【図６】
0006461508.tif 000007
【図７】
0006461508.tif 000008
【図８】
0006461508.tif 000009
【図９】
0006461508.tif 000010
【図１０】
0006461508.tif 000011
【図１１】
0006461508.tif 000012
【図１２】
0006461508.tif 000013
【図１３】
0006461508.tif 000014
【図１４】
0006461508.tif 000015
【図１５】
0006461508.tif 000016
【図１６】
0006461508.tif 000017
【図１７】
0006461508.tif 000018
【図１８】
0006461508.tif 000019
【図１９】
0006461508.tif 000020
【図２０】
0006461508.tif 000021
【図２１】
0006461508.tif 000022
【図２２】
0006461508.tif 000023
【図２３】
0006461508.tif 000024
【図２４】
0006461508.tif 000025
【図２５】
0006461508.tif 000026
【図２６】
0006461508.tif 000027
【図２７】
0006461508.tif 000028
【図２８】
0006461508.tif 000029
【図２９】
0006461508.tif 000030
【図３０】
0006461508.tif 000031
【図３１】
0006461508.tif 000032
【図３２】
0006461508.tif 000033
【図３３】
0006461508.tif 000034
【図３４】
0006461508.tif 000035